(57)【要約】【課題】熱変色性インキによる２種類の筆跡を１本の筆記具で得ることができる熱変色性筆記具を提供する。【解決手段】キャップ２の一端開口部に、第１の筆記体３Ａのペン先４Ａ側を挿着可能に設け、キャップ２の他端開口部に、第２の筆記体３Ｂのペン先４Ｂ側を挿着可能に設ける。第１の筆記体３Ａが、一端にペン先４Ａを備え且つ内部に第１の熱変色性インキ８１Ａが収容される。第２の筆記体３Ｂが、一端にペン先４Ｂを備え且つ内部に第２の熱変色性インキ８１Ｂが収容される。少なくとも第１の筆記体３Ａの反ペン先側の端部または第２の筆記体３Ｂの反ペン先側の端部に摩擦部５Ａ，５Ｂを設ける。第１の熱変色性インキ８１Ａによる筆跡及び第２の熱変色性インキ８１Ｂによる筆跡の各々を摩擦部５Ａ，５Ｂによって摩擦し、その際に生じる摩擦熱で前記筆跡の各々が熱変色可能である。【選択図】  図１
2008296412.tif 000002
【特許請求の範囲】
【請求項１】
キャップの両端が開口し、前記キャップの一端開口部に、第１の筆記体のペン先側を挿着可能に設け、前記キャップの他端開口部に、第２の筆記体のペン先側を挿着可能に設け、前記第１の筆記体が、一端にペン先を備え且つ内部に第１の熱変色性インキが収容され、前記第１の筆記体のペン先から第１の熱変色性インキが吐出可能に構成され、前記第２の筆記体が、一端にペン先を備え且つ内部に第２の熱変色性インキが収容され、前記第２の筆記体のペン先から第２の熱変色性インキが吐出可能に構成され、少なくとも第１の筆記体の反ペン先側の端部または第２の筆記体の反ペン先側の端部に摩擦部を設け、前記第１の熱変色性インキによる筆跡及び前記第２の熱変色性インキによる筆跡の各々を前記摩擦部によって摩擦し、その際に生じる摩擦熱で前記筆跡の各々が熱変色可能であることを特徴とする熱変色性筆記具。
【請求項２】
前記第１の熱変色性インキの発色状態の色と前記第２の熱変色性インキの発色状態の色とが異なる請求項１記載の熱変色性筆記具。
【請求項３】
前記第１の熱変色性インキ及び前記第２の熱変色性インキの各々の、摩擦部の摩擦熱による変色温度を２５℃〜９５℃に設定した請求項１または２記載の熱変色性筆記具。
【請求項４】
前記第１の筆記体のペン先及び前記第２の筆記体のペン先がボールペンチップからなる請求項１、２または３記載の熱変色性筆記具。
【請求項５】
前記第１の筆記体のペン先及び前記第２の筆記体のペン先が多孔質ペン体からなる請求項１、２または３記載の熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴の後端に設ける構成が記載されている。
【０００３】
【特許文献１】特開２００４−１４８７４４号公報
【発明の開示】
【発明が解決しようとする課題】
【０００４】
前記従来の熱変色性筆記具は、１本の筆記具から１種類の筆跡しか得られない。そのため、２種類の筆跡（例えばペン先種類やインキ色の異なる筆跡）を得るには２本の筆記具が必要となり、用意する筆記具の総本数が増加し、携帯や保管に不便となる。
【０００５】
本発明は、前記従来の問題点を解決するものであって、熱変色性インキによる２種類の筆跡を１本の筆記具で得ることができる熱変色性筆記具を提供しようとするものである。
【課題を解決するための手段】
【０００６】
本願の第１の発明は、キャップ２の両端が開口し、前記キャップ２の一端開口部に、第１の筆記体３Ａのペン先４Ａ側を挿着可能に設け、前記キャップ２の他端開口部に、第２の筆記体３Ｂのペン先４Ｂ側を挿着可能に設け、前記第１の筆記体３Ａが、一端にペン先４Ａを備え且つ内部に第１の熱変色性インキ８１Ａが収容され、前記第１の筆記体３Ａのペン先４Ａから第１の熱変色性インキ８１Ａが吐出可能に構成され、前記第２の筆記体３Ｂが、一端にペン先４Ｂを備え且つ内部に第２の熱変色性インキ８１Ｂが収容され、前記第２の筆記体３Ｂのペン先４Ｂから第２の熱変色性インキ８１Ｂが吐出可能に構成され、少なくとも第１の筆記体３Ａの反ペン先側の端部または第２の筆記体３Ｂの反ペン先側の端部に摩擦部５Ａ，５Ｂを設け、前記第１の熱変色性インキ８１Ａによる筆跡及び前記第２の熱変色性インキ８１Ｂによる筆跡の各々を前記摩擦部５Ａ，５Ｂによって摩擦し、その際に生じる摩擦熱で前記筆跡の各々が熱変色可能であることを要件とする。
【０００７】
前記第１の発明の熱変色性筆記具１は、熱変色性インキによる２種類の筆跡を１本の筆記具で得ることができる。また、前記第１の発明の熱変色性筆記具１は、ペン先４Ａによる第１の熱変色性インキ８１Ａの筆跡及びペン先４Ｂによる第２の熱変色性インキ８１Ｂの筆跡の各々が、摩擦部５Ａ，５Ｂによって熱変色可能であるため、第１の熱変色性インキ８１Ａの筆跡と第２の熱変色性インキ８１Ｂの筆跡（即ち２種類の筆跡）を、摩擦部５Ａ，５Ｂによって一度に熱変色させることができる。
【０００８】
尚、前記第１の発明のペン先４Ａ及びペン先４Ｂは、例えば、ボールペンチップ、多孔質ペン体（繊維加工体または多孔質気泡体）、軸方向の毛細管通路を有する合成樹脂の押出成形よりなるペン体、先端にスリットを有する金属製板状ペン体、毛筆ペン体等、いずれであってもよい。前記摩擦部５Ａ，５Ｂは、第１の筆記体３Ａ、第２の筆記体３Ｂの両方に設けてもよいし、第１の筆記体３Ａ、第２の筆記体３Ｂのいずれか一方に設けてもよい。
【０００９】
本願の第２の発明は、前記第１の発明において、前記第１の熱変色性インキ８１Ａの発色状態の色と前記第２の熱変色性インキ８１Ｂの発色状態の色とが異なることを要件とする。
【００１０】
前記第２の発明の熱変色性筆記具１は、第１の熱変色性インキ８１Ａと第２の熱変色性インキ８１Ｂによる発色状態の色が異なる２種類の筆跡を、摩擦部５Ａ，５Ｂの摩擦熱により一度に熱変色させることができる。また、前記第２の発明の熱変色性筆記具１は、第１の熱変色性インキ８１Ａの筆跡と、第２の熱変色性インキ８１Ｂの筆跡が重なった状態での場合でも、異なる発色状態の色によって前記２種類の筆跡を識別できる。
【００１１】
本願の第３の発明は、前記第１または第２の発明において、前記第１の熱変色性インキ８１Ａ及び前記第２の熱変色性インキ８１Ｂの各々の、摩擦部５Ａ，５Ｂの摩擦熱による変色温度を２５℃〜９５℃（好ましくは３６℃〜９０℃）に設定したことを要件とする。
【００１２】
前記第３の発明の熱変色性筆記具１は、摩擦部５Ａ，５Ｂによる摩擦熱によって、第１の熱変色性インキ８１Ａと第２の熱変色性インキ８１Ｂとによる２種類の筆跡を、確実に、一度に熱変色させることができる。もし、第１の熱変色性インキ８１Ａの変色温度と第２の熱変色性インキ８１Ｂの変色温度のいずれかが、前記温度範囲から外れている場合、２種類の筆跡を、摩擦部５Ａ，５Ｂの摩擦熱で一度に熱変色できないおそれがある。
【００１３】
本願の第４の発明の熱変色性筆記具１は、前記第１、第２または第３の発明において、前記第１の筆記体３Ａのペン先４Ａ及び前記第２の筆記体３Ｂのペン先４Ｂがボールペンチップからなることを要件とする。
【００１４】
前記第４の発明の熱変色性筆記具１は、ボールペンチップによる２種類の熱変色性インキの筆跡を１本の筆記具で得ることができる。
【００１５】
本願の第５の発明の熱変色性筆記具１は、前記第１、第２または第３の発明において、前記第１の筆記体３Ａのペン先４Ａ及び前記第２の筆記体３Ｂのペン先４Ｂが多孔質ペン体からなることを要件とする。
【００１６】
前記第５の発明の熱変色性筆記具１は、多孔質ペン体による２種類の熱変色性インキの筆跡を１本の筆記具で得ることができる。
【００１７】
・摩擦部
尚、本発明で、前記摩擦部５Ａ，５Ｂは軟質材料からなることが好ましい。前記摩擦部５Ａ，５Ｂを構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部５Ａ，５Ｂを構成する軟質材料は、高摩耗性の弾性材料（例えば、消しゴム等）からなるものよりも、低摩耗性の弾性材料からなるものが、消しカスが生じない点で有効である。前記摩擦部５Ａ，５Ｂは、筆記体の後端に２色成形により一体に形成する構成、または筆記体と別部品からなる摩擦部５Ａ，５Ｂを筆記体の後端に固着（例えば、嵌着、圧入、螺着、接着）する構成が挙げられる。
【００１８】
・ペン先
前記ボールペンチップは、チップ本体の先端に回転可能にボールが抱持された構成である。また、前記ボールペンチップは、ボールをチップ本体内から前方に弾発体により付勢し、ボールをチップ本体のカシメ部（先端縁部）内面に圧接させる構成が有効である。
【００１９】
前記多孔質ペン体は、例えば、繊維加工体または多孔質気泡体からなるペン体が挙げられる。前記多孔質ペン体は、先端部が、チゼル形状または砲弾形状に形成される。
【００２０】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２１】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２２】
本発明では、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２３】
本発明では、前記熱変色性インキの摩擦体の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる像または筆跡を摩擦体による摩擦熱で容易に変色することができる。
【００２４】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００２５】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００２６】
本発明は、熱変色性インキによる２種類の筆跡を１本の筆記具で得ることができる。
【発明を実施するための最良の形態】
【００２７】
＜第１の実施の形態＞
本発明の熱変色性筆記具１の第１の実施の形態を図１に示す。
本実施の形態の熱変色性筆記具１は、両端が開口したキャップ２と、前記キャップ２の一端に着脱自在に挿着可能な第１の筆記体３Ａと、前記キャップ２の他端に着脱自在に挿着可能な第２の筆記体３Ｂとからなる。
【００２８】
・第１の筆記体
前記第１の筆記体３Ａは、一端にペン先４Ａを備え且つ内部に第１の熱変色性インキ８１Ａが収容され、前記ペン先４Ａから第１の熱変色性インキ８１Ａが吐出可能に構成される。
【００２９】
前記第１の筆記体３Ａは、軸筒６Ａと、該軸筒６Ａ内に収容されるレフィルとからなる。
【００３０】
前記軸筒６Ａは、先軸６１Ａと、該先軸６１Ａの後端に取り付けられる後軸６２Ａとからなる。前記先軸６１Ａは、螺合により後軸６２Ａと着脱自在に取り付けられる。前記先軸６１Ａの先端には先端孔が貫設され、そこからペン先４Ａが突出される。前記後軸６２Ａ（軸筒６Ａ）の後端には、軟質材料（例えば、ＳＢＳ樹脂、ＳＥＢＳ樹脂）よりなる摩擦部５Ａが取り付けられる。尚、前記摩擦部５Ａは、後軸６２Ａと２色成形により一体に形成することもできる。
【００３１】
前記レフィルは、先端にボールペンチップからなるペン先４Ａを備え、内部に第１の熱変色性インキ８１Ａが収容される。前記第１の熱変色性インキ８１Ａが前記ペン先４Ａより外部に吐出され、第１の熱変色性インキ８１Ａによる筆跡を得ることができる。前記ペン先４Ａ内には、弾発体（スプリング）が収容される。前記弾発体により、ペン先４Ａのボールを、前方に付勢し且つペン先４Ａの内向きのカシメ部内面（先端縁部内面）に圧接させ、非筆記時のペン先からのインキ漏出及び空気混入を防止する。
【００３２】
前記ペン先４Ａは、ペン先ホルダー７Ａを介してインキ収容筒８Ａに取り付けられる。具体的には、前記ペン先ホルダー７Ａの先端にペン先４Ａが固着され、前記ペン先ホルダー７Ａの後端が前記インキ収容筒８Ａの開口部に固着される。前記ペン先ホルダー７Ａは、外周面に鍔部を備え、該鍔部が、先軸６１Ａ内面と、後軸６２Ａ先端とにより挟持される。
【００３３】
・第１の熱変色性インキ
前記第１の熱変色性インキ８１Ａは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３４】
前記インキ収容筒８Ａ内には、第１の熱変色性インキ８１Ａが収容される。前記インキ収容筒８Ａ内の第１の熱変色性インキ８１Ａの後端には、追従体８２Ａが収容される。前記追従体８２Ａは、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００３５】
・第２の筆記体
前記第２の筆記体３Ｂは、一端にペン先４Ｂを備え且つ内部に第２の熱変色性インキ８１Ｂが収容され、前記ペン先４Ｂから第２の熱変色性インキ８１Ｂが吐出可能に構成される。
【００３６】
前記第２の筆記体３Ｂは、軸筒６Ｂと、該軸筒６Ｂ内に収容されるレフィルとからなる。
【００３７】
前記軸筒６Ｂは、先軸６１Ｂと、該先軸６１Ｂの後端に取り付けられる後軸６２Ｂとからなる。前記先軸６１Ｂは、螺合により後軸６２Ｂと着脱自在に取り付けられる。前記先軸６１Ｂの先端には先端孔が貫設され、そこからペン先４Ｂが突出される。前記後軸６２Ｂ（軸筒６Ｂ）の後端には、軟質材料（例えば、ＳＢＳ樹脂、ＳＥＢＳ樹脂）よりなる摩擦部５Ｂが取り付けられる。尚、前記摩擦部５Ｂは、後軸６２Ｂと２色成形により一体に形成することもできる。
【００３８】
前記レフィルは、先端にボールペンチップからなるペン先４Ｂを備え、内部に第２の熱変色性インキ８１Ｂが収容される。前記第２の熱変色性インキ８１Ｂが前記ペン先４Ｂより外部に吐出され、第２の熱変色性インキ８１Ｂによる筆跡を得ることができる。前記ペン先４Ｂ内には、弾発体（スプリング）が収容される。前記弾発体により、ペン先４Ｂのボールを、前方に付勢し且つペン先４Ｂの内向きのカシメ部内面（先端縁部内面）に圧接させ、非筆記時のペン先からのインキ漏出及び空気混入を防止する。
【００３９】
前記ペン先４Ｂは、ペン先ホルダー７Ｂを介してインキ収容筒８Ｂに取り付けられる。具体的には、前記ペン先ホルダー７Ｂの先端にペン先４Ｂが固着され、前記ペン先ホルダー７Ｂの後端が前記インキ収容筒８Ｂの開口部に固着される。前記ペン先ホルダー７Ｂは、外周面に鍔部を備え、該鍔部が、先軸６１Ｂ内面と、後軸６２Ｂ先端とにより挟持される。
【００４０】
・第２の熱変色性インキ
前記第２の熱変色性インキ８１Ｂは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００４１】
前記インキ収容筒８Ｂ内には、第２の熱変色性インキ８１Ｂが収容される。前記インキ収容筒８Ｂ内の第２の熱変色性インキ８１Ｂの後端には、追従体８２Ｂが収容される。前記追従体８２Ｂは、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００４２】
尚、前記第１の熱変色性インキ８１Ａの発色状態の色と前記第２の熱変色性インキ８１Ｂの発色状態の色とが異なる。
【００４３】
・キャップ
前記キャップ２は、合成樹脂の射出成形より得られる両端が開口した円筒状部材である。前記キャップ２の一端開口部に、第１の筆記体３Ａのペン先４Ａ側が挿着可能な第１の収容部２１Ａを設け、前記キャップ２の他端開口部に、第２の筆記体３Ｂのペン先４Ｂ側が挿着可能な第２の収容部２１Ｂを設ける。前記第１の収容部２１Ａ内には弾性材料よりなるペン先シール部材２２Ａが収容配置され、前記第２の収容部２１Ｂ内にはペン先シール部材２２Ｂが収容配置される。前記第１の収容部２１Ａ内に第１の筆記体３Ａのペン先４Ａ側を挿着した際、ペン先シール部材２２Ａとペン先４Ａの先端とが密接し、ペン先４Ａの先端が密封される。一方、前記第２の収容部２１Ｂ内に第２の筆記体３Ｂのペン先４Ｂ側を挿着した際、ペン先シール部材２２Ｂとペン先４Ｂの先端とが密接し、ペン先４Ｂの先端が密封される。
【００４４】
尚、本実施の形態では、キャップ２の一端開口部（即ち第１の収容部２１Ａ）に、第１の筆記体３Ａのペン先４Ａ側、第２の筆記体３Ｂのペン先４Ｂ側のいずれもが挿着可能に構成され、且つ、キャップ２の他端開口部（即ち第２の収容部２１Ｂ）に、第１の筆記体３Ａのペン先４Ａ側、第２の筆記体３Ｂのペン先４Ｂ側のいずれもが挿着可能に構成される。また、本実施の形態では、キャップ２の一端開口部（即ち第１の収容部２１Ａ）に、第１の筆記体３Ａの後端部、第２の筆記体３Ｂの後端部のいずれもが挿着可能に構成され、且つ、キャップ２の他端開口部（即ち第２の収容部２１Ｂ）に、第１の筆記体３Ａの後端部、第２の筆記体３Ｂの後端部のいずれもが挿着可能に構成される。
【００４５】
＜第２の実施の形態＞
本発明の熱変色性筆記具１の第２の実施の形態を図２に示す。
本実施の形態の熱変色性筆記具１は、両端が開口したキャップ２と、前記キャップ２の一端に着脱自在に挿着可能な第１の筆記体３Ａと、前記キャップ２の他端に着脱自在に挿着可能な第２の筆記体３Ｂとからなる。
【００４６】
・第１の筆記体
前記第１の筆記体３Ａは、一端にペン先４Ａを備え且つ内部に第１の熱変色性インキが収容され、前記ペン先４Ａから第１の熱変色性インキが吐出可能に構成される。
【００４７】
前記第１の筆記体３Ａは、軸筒６Ａと、該軸筒６Ａの先端に取り付けられるペン先４Ａと、該軸筒６Ａ内に収容されるインキ吸蔵体９Ａと、前記軸筒６Ａの後端に取り付けられる摩擦部５Ａとからなる。
【００４８】
前記ペン先４Ａは、多孔質ペン体からなる。前記ペン先４Ａは、ペン先ホルダー７Ａを介して軸筒６Ａの先端に取り付けられる。前記ペン先４Ａの後端は、インキ吸蔵体９Ａと接続される。前記インキ吸蔵体９Ａは、熱変色性インキが含浸可能な連続気孔を有する部材、例えば、繊維加工体、多孔質気泡体等の多孔質材料からなる。前記インキ吸蔵体９Ａの内部には、第１の熱変色性インキが含浸される。
【００４９】
前記摩擦部５Ａは、軟質材料（例えば、ＳＢＳ樹脂、ＳＥＢＳ樹脂）からなる。尚、前記摩擦部５Ａは、軸筒６Ａと２色成形により一体に形成することもできる。
【００５０】
前記第１の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００５１】
・第２の筆記体
前記第２の筆記体３Ｂは、一端にペン先４Ｂを備え且つ内部に第２の熱変色性インキ８１Ｂが収容され、前記ペン先４Ｂから第２の熱変色性インキが吐出可能に構成される。
【００５２】
前記第２の筆記体３Ｂは、軸筒６Ｂと、該軸筒６Ｂの先端に取り付けられるペン先４Ｂと、該軸筒６Ｂ内に収容されるインキ吸蔵体９Ｂと、前記軸筒６Ｂの後端に取り付けられる摩擦部５Ｂとからなる。
【００５３】
前記ペン先４Ｂは、多孔質ペン体からなる。前記ペン先４Ｂは、ペン先ホルダー７Ｂを介して軸筒６Ｂの先端に取り付けられる。前記ペン先４Ｂの後端は、インキ吸蔵体９Ｂと接続される。前記インキ吸蔵体９Ｂは、熱変色性インキが含浸可能な連続気孔を有する部材、例えば、繊維加工体、多孔質気泡体等の多孔質材料からなる。前記インキ吸蔵体９Ｂの内部には、第２の熱変色性インキが含浸される。
【００５４】
前記摩擦部５Ｂは、軟質材料（例えば、ＳＢＳ樹脂、ＳＥＢＳ樹脂）からなる。尚、前記摩擦部５Ｂは、軸筒６Ｂと２色成形により一体に形成することもできる。
【００５５】
前記第２の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００５６】
尚、前記第１の熱変色性インキの発色状態の色と前記第２の熱変色性インキの発色状態の色とが異なる。
【００５７】
・キャップ
前記キャップ２は、合成樹脂の射出成形より得られる両端が開口した円筒状部材である。前記キャップ２の一端開口部には、第１の筆記体３Ａのペン先４Ａ側が挿着可能な第１の収容部２１Ａが形成される。前記キャップ２の他端開口部には、第２の筆記体３Ｂのペン先４Ｂ側が挿着可能な第２の収容部２１Ｂが形成される。前記キャップ２の内には隔壁２３が設けられ、第１の収容部２１Ａと第２の収容部２１Ｂとが、非連通状態に区画される。前記第１の収容部２１Ａに第１の筆記体３Ａのペン先４Ａ側を挿着した際、第１の収容部２１Ａ内面と軸筒６Ａ外面とが気密嵌合し、ペン先４Ａが密封される。一方、前記第２の収容部２１Ｂに第２の筆記体３Ｂのペン先４Ｂ側を挿着した際、第２の収容部２１Ｂ内面と軸筒６Ｂ外面とが気密嵌合し、ペン先４Ｂが密封される。
【００５８】
尚、本実施の形態では、キャップ２の一端開口部（即ち第１の収容部２１Ａ）に、第１の筆記体３Ａのペン先４Ａ側、第２の筆記体３Ｂのペン先４Ｂ側のいずれもが挿着可能に構成され、且つ、キャップ２の他端開口部（即ち第２の収容部２１Ｂ）に、第１の筆記体３Ａのペン先４Ａ側、第２の筆記体３Ｂのペン先４Ｂ側のいずれもが挿着可能に構成される。また、本実施の形態では、キャップ２の一端開口部（即ち第１の収容部２１Ａ）に、第１の筆記体３Ａの後端部、第２の筆記体３Ｂの後端部のいずれもが挿着可能に構成され、且つ、キャップ２の他端開口部（即ち第２の収容部２１Ｂ）に、第１の筆記体３Ａの後端部、第２の筆記体３Ｂの後端部のいずれもが挿着可能に構成される。
【図面の簡単な説明】
【００５９】
【図１】本発明の第１の実施の形態の縦断面図である。
【図２】本発明の第２の実施の形態の縦断面図である。
【図３】可逆熱変色性組成物の変色挙動を示す説明図である。
【符号の説明】
【００６０】
１  熱変色性筆記具
２  キャップ
２１Ａ  第１の収容部
２１Ｂ  第２の収容部
２２Ａ  ペン先シール部材
２２Ｂ  ペン先シール部材
２３  隔壁
３Ａ  第１の筆記体
４Ａ  ペン先
５Ａ  摩擦部
６Ａ  軸筒
６１Ａ  先軸
６２Ａ  後軸
７Ａ  ペン先ホルダー
８Ａ  インキ収容筒
８１Ａ  第１の熱変色性インキ
８２Ａ  追従体
９Ａ  インキ吸蔵体
３Ｂ  第２の筆記体
４Ｂ  ペン先
５Ｂ  摩擦部
６Ｂ  軸筒
６１Ｂ  先軸
６２Ｂ  後軸
７Ｂ  ペン先ホルダー
８Ｂ  インキ収容筒
８１Ｂ  第２の熱変色性インキ
８２Ｂ  追従体
９Ｂ  インキ吸蔵体
【図１】
2008296412.tif 000003
【図２】
2008296412.tif 000004
【図３】
2008296412.tif 000005